(57)【特許請求の範囲】
【請求項１】
建物内外に連通している通路と、回転によって通路を開閉する羽根手段と、羽根手段を回転させる回転力を発生させる回転力発生手段と、回転力発生手段による回転力を羽根手段に伝達する伝達手段とを具備しており、伝達手段は、回転力発生手段による回転力が与えられる回転軸と、回転軸の回転軸心及び羽根手段の回転軸心の相互の軸心ずれを許容して、回転軸を羽根手段に連結する自在軸継手と、回転軸に対する羽根手段の回転位置を調整する回転位置調整手段とを具備しており、自在軸継手は、回転軸からの回転力が入力される入力軸と、中間軸と、入力軸を中間軸の一端に連結する第一の連結部と、羽根手段を中間軸の他端に連結する第二の連結部とを具備しており、回転位置調整手段は、回転軸に対する羽根手段の回転位置を調整する回転位置調整機構と、回転位置調整機構を羽根手段に向かって付勢する付勢手段とを具備しており、回転位置調整機構は、回転軸に連結されていると共に、一面にセレーションが設けられた一方のセレーション体と、羽根手段に自在軸継手を介して連結されていると共に、一面にセレーションが設けられた他方のセレーション体と、一方のセレーション体に対する他方のセレーション体の回転方向における相対位置を調整し得ると共に、一方のセレーション体を、これらのセレーションを噛合させて、固定する調整及び固定手段とを具備しており、入力軸は、他方のセレーション体に対して軸方向に移動自在であると共に他方のセレーション体の回転力が入力されるように、他方のセレーション体に挿入されており、付勢手段は、他方のセレーション体及び第一の連結部間に配されていると共に、他方のセレーション体を軸方向において自在軸継手から離反させることによって、他方のセレーション体を弾性的に一方のセレーション体に押し付ける押圧部材を具備している換気装置。
【請求項２】
羽根手段は、夫々別々の通路に配された少なくとも一対の羽根部材を具備しており、伝達手段は、回転軸の一端を、当該回転軸の回転軸心及び一方の羽根部材の回転軸心が互いに同一直線上に位置するように、一方の羽根部材に連結すると共に、回転軸の他端を、自在軸継手を介して他方の羽根部材に連結するようになっている請求項１に記載の換気装置。
【請求項３】
自在軸継手は、羽根手段が回転軸の回転量と同一の回転量をもって回転するように、回転軸を羽根手段に連結するようになっている請求項１又は２に記載の換気装置。
【請求項４】
自在軸継手は、回転軸及び羽根手段が夫々互いに等速回転するように、回転軸を羽根手段に連結するようになっている請求項１から３のいずれか一項に記載の換気装置。
【請求項５】
第一の連結部は、入力軸及び中間軸間に配された一の十字体と、入力軸の一端に連結され、且つ、一の方向で一の十字体を挟持している第一の挟持体と、中間軸の一端に固定され、且つ、一の方向に交差する他の一の方向で一の十字体を挟持している第二の挟持体とを具備しており、第二の連結部は、羽根手段及び中間軸間に配された他の一の十字体と、羽根手段に連結され、且つ、一の方向で他の一の十字体を挟持している第三の挟持体と、中間軸の他端に固定され、且つ、一の方向に交差する他の一の方向で他の一の十字体を挟持している第四の挟持体とを具備している請求項１から４のいずれか一項に記載の換気装置。
【請求項６】
調整及び固定手段は、両セレーション体のうちのいずれか一方に形成された複数の円弧状の長孔と、複数の長孔に夫々挿入されていると共に、両セレーション体のうちのいずれか他方に螺合した固定ねじとを具備しており、一方のセレーション体に対する他方のセレーション体の回転方向における相対位置を決定した後、固定ねじを締め付けることによって、一方のセレーション体及び他方のセレーション体を、これらのセレーションを噛合させて、固定するようになっている請求項１から５のいずれか一項に記載の換気装置。
【請求項７】
伝達手段は、羽根手段の所定量以上の回転を規制する規制手段を具備している請求項１から６のいずれか一項に記載の換気装置。
【請求項８】
規制手段は、回転軸と共に回転する回転体と、回転体に当接する当接体とを具備しており、回転体が、回転軸と共に所定量回転した際に、当該回転体に当接体を当接させることによって、羽根手段の所定量以上の回転を規制するようになっている請求項７に記載の換気装置。
【発明の詳細な説明】
【０００１】
【発明の属する技術分野】
本発明は、ビル等の建物内外に連通している通路を開閉する換気装置に関する。
【０００２】
【発明が解決しようとする課題】
この種の換気装置としては、例えば、建物内外に連通しており、且つ、一の方向で並置されている一対の通路に夫々配された一対の羽根部材と、一対の羽根部材間に配され、且つ、一対の羽根部材に夫々連結している回転軸とを具備しており、回転軸を電動モータ等によって回転させることによって一対の羽根部材を夫々回転させることにより一対の通路の開閉を行わせるようにした換気装置が挙げられる。
【０００３】
しかしながら、斯かる換気装置では、一対の羽根部材の夫々の回転軸心が同一直線上に位置していない場合、回転軸の位置決めが困難となり、また、回転軸から一対の羽根部材への回転力の伝達において、大きな抵抗が生じる虞があることから、羽根部材による通路の良好な開閉動作を得ることが困難となる。
【０００４】
本発明は前記諸点に鑑みてなされたものであり、その目的とするところは、回転軸の位置決めを容易に行うことができ、建物内外に連通している通路の良好な開閉動作を得ることができる換気装置を提供することにある。
【０００５】
【課題を解決するための手段】
本発明の第一の態様の換気装置は、建物内外に連通している通路と、回転によって通路を開閉する羽根手段と、羽根手段を回転させる回転力を発生させる回転力発生手段と、回転力発生手段による回転力を羽根手段に伝達する伝達手段とを具備しており、伝達手段は、回転力発生手段による回転力が与えられる回転軸と、回転軸の回転軸心及び羽根手段の回転軸心の相互の軸心ずれを許容して、回転軸を羽根手段に連結する自在軸継手と、回転軸に対する羽根手段の回転位置を調整する回転位置調整手段とを具備しており、自在軸継手は、回転軸からの回転力が入力される入力軸と、中間軸と、入力軸を中間軸の一端に連結する第一の連結部と、羽根手段を中間軸の他端に連結する第二の連結部とを具備しており、回転位置調整手段は、回転軸に対する羽根手段の回転位置を調整する回転位置調整機構と、回転位置調整機構を羽根手段に向かって付勢する付勢手段とを具備しており、回転位置調整機構は、回転軸に連結されていると共に、一面にセレーションが設けられた一方のセレーション体と、羽根手段に自在軸継手を介して連結されていると共に、一面にセレーションが設けられた他方のセレーション体と、一方のセレーション体に対する他方のセレーション体の回転方向における相対位置を調整し得ると共に、一方のセレーション体を、これらのセレーションを噛合させて、固定する調整及び固定手段とを具備しており、入力軸は、他方のセレーション体に対して軸方向に移動自在であると共に他方のセレーション体の回転力が入力されるように、他方のセレーション体に挿入されており、付勢手段は、他方のセレーション体及び第一の連結部間に配されていると共に、他方のセレーション体を軸方向において自在軸継手から離反させることによって、他方のセレーション体を弾性的に一方のセレーション体に押し付ける押圧部材を具備している。
【０００６】
本発明の第一の態様の換気装置によれば、伝達手段は、回転力発生手段による回転力が与えられる回転軸と、回転軸の回転軸心及び羽根手段の回転軸心の相互の軸心ずれを許容して、回転軸を羽根手段に連結する自在軸継手と、回転軸に対する羽根手段の回転位置を調整する回転位置調整手段とを具備しているため、回転軸の位置決めを容易に行うことができ、回転軸から一対の羽根部材への回転力の伝達において、大きな抵抗が生じる虞をなくすことができ、而して、建物内外に連通している通路の良好な開閉動作を得ることができ、しかも、例えば、一対の羽根部材が、夫々異なった形状の壁面によって形成される一対の通路に夫々配されている場合に、回転位置調整手段でもって一対の羽根部材の夫々の回転位置を調整することで、夫々の通路の開閉を適切に行うことができ、而して、通路の良好な開閉動作を得ることができるのみならず、押圧部材は、他方のセレーション体を軸方向において自在軸継手から離反させることによって、他方のセレーション体を一方のセレーションに弾性的に押し付けるようになっているために、調整及び固定手段による固定が多少緩んだ場合においてもセレーション噛合を確保できる上に、回転位置調整作業を容易ならしめ、加えて、自在軸継手の軸方向における振れをもなくし得る。
【０００７】
本発明の第二の態様の換気装置では、本発明の第一の態様の換気装置において、羽根手段は、夫々別々の通路に配された少なくとも一対の羽根部材を具備しており、伝達手段は、回転軸の一端を、当該回転軸の回転軸心及び一方の羽根部材の回転軸心が互いに同一直線上に位置するように、一方の羽根部材に連結すると共に、回転軸の他端を、自在軸継手を介して他方の羽根部材に連結するようになっている。
【０００８】
本発明の第二の態様の換気装置によれば、伝達手段は、回転軸の一端を、当該回転軸の回転軸心及び一方の羽根部材の回転軸心が互いに同一直線上に位置するように、一方の羽根部材に連結すると共に、回転軸の他端を、自在軸継手を介して他方の羽根部材に連結するようになっているため、例えば、一対の羽根部材の回転軸心の相互の軸心ずれがあっても、これを自在軸継手でもって許容するために、一対の羽根部材による通路の開閉を良好に行わせることができる。
【０００９】
本発明の第三の態様の換気装置では、本発明の第一又は第二の態様の換気装置において、自在軸継手は、羽根手段が回転軸の回転量と同一の回転量をもって回転するように、回転軸を羽根手段に連結するようになっている。
【００１０】
本発明の第四の態様の換気装置では、本発明の第一から第三のいずれか一の態様の換気装置において、自在軸継手は、回転軸及び羽根手段が夫々互いに等速回転するように、回転軸を羽根手段に連結するようになっている。
【００１１】
本発明の第五の態様の換気装置では、本発明の第一から第四のいずれか一の態様の換気装置において、第一の連結部は、入力軸及び中間軸間に配された一の十字体と、入力軸の一端に連結され、且つ、一の方向で一の十字体を挟持している第一の挟持体と、中間軸の一端に固定され、且つ、一の方向に交差する他の一の方向で一の十字体を挟持している第二の挟持体とを具備しており、第二の連結部は、羽根手段及び中間軸間に配された他の一の十字体と、羽根手段に連結され、且つ、一の方向で他の一の十字体を挟持している第三の挟持体と、中間軸の他端に固定され、且つ、一の方向に交差する他の一の方向で他の一の十字体を挟持している第四の挟持体とを具備している。
【００１２】
本発明の第三から第五の態様の換気装置によれば、羽根手段の回転の制御を容易に行うことができ、また、例えば、一対の羽根部材を同一の回転量をもって回転又は一対の羽根部材を夫々互いに等速回転させることができ、而して、通路の良好な開閉を得ることができる。
【００１６】
本発明の第六の態様の換気装置では、本発明の第一から第五のいずれか一の態様の換気装置において、調整及び固定手段は、両セレーション体のうちのいずれか一方に形成された複数の円弧状の長孔と、複数の長孔に夫々挿入されていると共に、両セレーション体のうちのいずれか他方に螺合した固定ねじとを具備しており、一方のセレーション体に対する他方のセレーション体の回転方向における相対位置を決定した後、固定ねじを締め付けることによって、一方のセレーション体及び他方のセレーション体を、これらのセレーションを噛合させて、固定するようになっている。
【００１７】
本発明の第七の態様の換気装置では、本発明の第一から第六のいずれか一の態様の換気装置において、伝達手段は、羽根手段の所定量以上の回転を規制する規制手段を具備している。
【００１８】
本発明の第八の態様の換気装置では、本発明の第七の態様の換気装置において、規制手段は、回転軸と共に回転する回転体と、回転体に当接する当接体とを具備しており、回転体が、回転軸と共に所定量回転した際に、当該回転体に当接体を当接させることによって、羽根手段の所定量以上の回転を規制するようになっている。
【００１９】
次に本発明の実施の形態を、図に示す好ましい例に基づいて更に詳細に説明する。なお、本発明はこれら例に何等限定されないのである。
【００２０】
【発明の実施の形態】
図１から図６において、本例の換気装置１は、建物内外１６及び１３に連通している通路２及び３と、回転によって通路２及び３を開閉する羽根手段４と、羽根手段４を回転させる回転力を発生させる回転力発生手段としての電動モータ５と、電動モータ５による回転力を羽根手段４に伝達する伝達手段６とを具備している。
【００２１】
通路２及び３は、建物９の外壁において、ガラス窓８の下方の腰壁１０に設けられた枠体１１及び１２によって夫々規定されている。
【００２２】
水平方向に間隔をもって並置された枠体１１及び１２は夫々同様に形成されているので、以下、枠体１１について詳細に説明し、枠体１２については、必要に応じて図面に符号ａを付してその詳細な説明を省略する。
【００２３】
枠体１１は、水平方向に伸びた中空前後壁２１及び２２と、前後壁２１及び２２の両端に固着されている側壁１９及び２０とを具備している。
【００２４】
前壁２１及び後壁２２の内面３１及び３４の夫々には、側壁１９から側壁２０まで伸びている係合部３２及び３５が一体的に形成されており、係合部３２及び３５の夫々には、側壁１９から側壁２０まで伸びた弾性シール部材３３及び３６が夫々嵌着されている。
【００２５】
前壁２１及び後壁２２の夫々は、腰壁１０に形成された貫通孔１４を間にして腰壁１０に固着されており、通路２は、その一方の開口端１５において貫通孔１４を介して建物外１３と連通していると共に、その他方の開口端１７において建物内１６と連通している。開口端１７には、前後壁２１及び２２に支持されて防塵用金網１８が設けられている。
【００２６】
羽根手段４は、通路２に配された羽根部材４１と、通路３に配された羽根部材４２とを具備している。
【００２７】
羽根部材４１及び４２は、夫々同様に形成されているので、以下、羽根部材４１について詳細に説明し、羽根部材４２については、必要に応じて図面に符号ａを付してその詳細な説明を省略する。
【００２８】
羽根部材４１は、通路２を横断して配されている長尺の中空羽根本体４３と、中空羽根本体４３の中空部４４の両端を閉塞するように、中空羽根本体４３の両端にねじ等により固定された側板４５及び４６と、側板４５及び４６の夫々の中心部に固定されている一対の軸４７及び４８とを具備している。
【００２９】
中空羽根本体４３は、シール部材３３に当接する当接部５１と、シール部材３６に当接する当接部５２とを有しており、シール部材３３及び３６に当接部５１及び５２が夫々当接する際に、通路２を閉鎖するようになっている。軸４７及び４８の夫々は、側壁１９及び２０に軸受を介してＡ及びＢ方向に回転自在に支持されている。
【００３０】
羽根部材４１は、電動モータ５からの回転力が伝達手段６により伝達されることによってＡ又はＢ方向に回転されて、通路２を開閉するようになっている。
【００３１】
電動モータ５は、その出力回転軸（図示せず）が歯車機構６１を介して回転軸７１に連結しており、当該出力回転軸の回転により、羽根部材４１及び４２を回転させる回転力を発生させるようになっている。
【００３２】
伝達手段６は、電動モータ５の出力回転軸の回転を減速して回転軸７１に伝達する歯車機構６１と、歯車機構６１を介して電動モータ５による回転力が与えられる回転軸７１と、回転軸７１の回転軸心及び羽根部材４１の回転軸心の相互の軸心ずれを許容して、回転軸７１を羽根部材４１の軸４８に連結する自在軸継手７２と、回転軸７１に対する羽根部材４１及び４２のＡ及びＢ方向における回転位置を調整する回転位置調整手段７３と、羽根部材４１及び４２の所定量以上のＡ及びＢ方向の回転を規制する規制手段７５とを具備している。電動モータ５が取り付けられた歯車機構６１は、側壁２０ａに固定された支持板７６によって支持されている。
【００３３】
回転軸７１は、その回転軸心が軸４７ａ及び４８ａの回転軸心と同一直線上に位置するように、羽根部材４１及び４２間に配されている。回転軸７１は、その一端８１及び他端８２が夫々スプライン軸として形成されており、一端８１で結合体１６３にスプライン結合しており、他端８２で結合体１６３ａにスプライン結合している。
【００３４】
自在軸継手７２は、回転軸７１からの回転力が入力される入力軸９１と、中間軸９３と、入力軸９１を中間軸９３の一端９４に連結する連結部９５と、中間軸９３の他端９６を軸４８に連結して、入力軸９１に入力された回転力を羽根部材４１に出力する連結部９７とを具備している。
【００３５】
入力軸９１は、入力軸本体１０１と、入力軸本体１０１の一端側に形成された貫通孔１０２と、入力軸本体１０１の他端側に設けられたキー溝１０３とを具備している。
【００３６】
連結部９５は、入力軸９１及び中間軸９３間に配された十字体１１１と、入力軸９１の一端に連結されていると共に十字体１１１を回転自在に挟持している挟持体１１２と、中間軸９３の一端９４に一体的に形成されて固定されていると共に十字体１１１を回転自在に挟持している挟持体１１３とを具備している。
【００３７】
十字体１１１は、特に図７に詳細に示すように、ブロック体１１５と、ブロック体１１５に固着された一対の円柱軸１１６と、ブロック体１１５に固着された一対の円柱軸１１７とを具備しており、一対の円柱軸１１６は、挟持体１１２に夫々回転自在に支持されており、一対の円柱軸１１７は、挟持体１１３に夫々回転自在に支持されている。円柱軸１１６の回転軸心と円柱軸１１７の回転軸心とは互いに直交している。
【００３８】
ブロック体１１５には、一対の円柱軸１１６の回転軸心を結ぶ直線と一対の円柱軸１１７の回転軸心を結ぶ直線との交点Ｐ１が回転軸７１の回転軸心線上に常に位置するように、一対の円柱軸１１６と一対の円柱軸１１７とが夫々固着されている。
【００３９】
挟持体１１２は、本体１２１と、本体１２１の一端に一体的に設けられている一対の挟持アーム１２２と、本体１２１の他端に配されている筒状部１２３とを具備している。
【００４０】
一対の挟持アーム１２２は、ブロック体１１５を間にして、一対の円柱軸１１６を夫々回転自在に支持している。
【００４１】
入力軸本体１０１の一端が挿入された筒状部１２３は、貫通孔１０２を介してピン１２４が圧入された孔１２５を有しており、ピン１２４を介して入力軸９１に連結されている。
【００４２】
挟持体１１３は、ブロック体１１５を間にして一対の円柱軸１１７を回転自在に支持した一対の挟持アーム１２６を具備している。
【００４３】
連結部９７は、軸４８及び中間軸９３間に配された十字体１３１と、軸４８に連結されていると共に十字体１３１を回転自在に挟持している挟持体１３２と、他端９６に一体的に形成されて固定されていると共に十字体１３１を回転自在に挟持している挟持体１３３とを具備している。
【００４４】
十字体１３１は、特に図８に詳細に示すように、ブロック体１３５と、ブロック体１３５に固着された一対の円柱軸１３６と、ブロック体１３５に固着された一対の円柱軸１３７とを具備しており、一対の円柱軸１３６は、挟持体１３２に夫々回転自在に支持されており、一対の円柱軸１３７は、挟持体１３３に夫々回転自在に支持されている。円柱軸１３６の回転軸心と円柱軸１３７の回転軸心とは互いに直交している。
【００４５】
ブロック体１３５には、一対の円柱軸１３６を結ぶ直線と一対の円柱軸１３７を結ぶ直線との交点Ｐ２が軸４７及び４８の回転軸心線上に常に位置するように、一対の円柱軸１３６と一対の円柱軸１３７とが夫々固着されている。
【００４６】
挟持体１３２は、本体１４１と、本体１４１の一端に一体的に設けられている一対の挟持アーム１４２と、本体１４１の他端に配されている筒状部１４３とを具備している。
【００４７】
一対の挟持アーム１４２は、ブロック体１３５を間にして、一対の円柱軸１３６を夫々回転自在に支持している。
【００４８】
筒状部１４３は、止めねじ１４４が配された孔を有しており、当該孔に配された止めねじ１４４を締め込むことによって軸４８に連結されるようになっている。
【００４９】
挟持体１３３は、ブロック体１３５を間にして一対の円柱軸１３７を回転自在に支持した一対の挟持アーム１５１を具備している。
【００５０】
以上の自在軸継手７２は、入力軸９１を、挟持体１１２及び１１３の夫々に回転自在に支持された十字体１１１を介して中間軸９３の一端９４に連結し、且つ、羽根部材４１の軸４８を、挟持体１３２及び１３３の夫々に回転自在に支持された十字体１３１を介して中間軸９３の他端９６に連結していることから、回転軸７１の回転軸心及び羽根部材４１の回転軸心の相互の軸心ずれを許容して、回転軸７１を羽根部材４１に連結するようになっており、また、挟持体１１２及び１３２により十字体１１１及び１３１を夫々挟持し、且つ、挟持体１１３及び１３３により十字体１１１及び１３１を夫々、挟持体１１２及び１３２による挟持に対して直交して挟持していることから、軸４８が回転軸７１の回転量と同一の回転量をもって回転するように、換言すれば、軸４８と回転軸７１とが夫々互いに等速回転するように、回転軸７１を羽根部材４１に連結するようになっている。
【００５１】
回転位置調整手段７３は、回転軸７１に対する羽根部材４１のＡ及びＢ方向における回転位置を調整する回転位置調整機構１６１と、回転軸７１に対する羽根部材４２のＡ及びＢ方向における回転位置を調整する回転位置調整機構１６２と、回転位置調整機構１６１を羽根部材４２に向かって付勢する付勢手段７４と、回転位置調整機構１６２を羽根手段４１に向かって付勢する付勢手段１６０とを具備している。
【００５２】
回転位置調整機構１６１及び１６２は、夫々同様に形成されているので、以下、回転位置調整機構１６１について詳細に説明し、回転位置調整機構１６２については、必要に応じて図面に符号ａを付してその詳細な説明を省略する。
【００５３】
回転位置調整機構１６１は、回転軸７１の一端８１が挿入されていると共に回転軸７１の一端８１とスプライン結合する結合体１６３と、回転軸７１の一端８１に結合体１６３を介して固定されていると共に、特に図９に示すように、一面にセレーション１６４が設けられたセレーション体１６５と、軸４８に自在軸継手７２を介して固定されていると共に、特に図１０に示すように、一面にセレーション１６６が設けられたセレーション体１６７と、セレーション体１６５に対するセレーション体１６７のＡ及びＢ方向における相対位置を調整し得ると共に、セレーション体１６５及び１６７を、これらのセレーション１６４及び１６６を噛合させて、固定する調整及び固定手段１６８とを具備している。
【００５４】
結合体１６３は、内周面１７０にスプライン溝が形成された筒体１７１からなり、内周面１７０によって規定される空間には、回転軸７１の一端８１が配されている。
【００５５】
セレーション体１６５は、環状体１７５からなり、結合体１６３に皿ねじ１７６を介して固定されている。セレーション１６４は、セレーション体１６５の一面に放射状に配された複数の三角歯１７７によって形成されている。
【００５６】
セレーション体１６７は、環状本体１８１と、環状本体１８１の外周面１８２に一体的に形成されたフランジ体１８３とを具備している。フランジ体１８３の一方の面にはセレーション１６６が形成されている。
【００５７】
環状本体１８１は、その内周面１８４に形成されたキー溝１８５を具備している。環状本体１８１の内周面１８４によって規定されている空間には入力軸本体１０１が挿入されるようになっている。キー溝１０３及び１８５には、キー１８６が配されている。
【００５８】
セレーション１６６は、フランジ体１８３の一方の面に放射状に配された複数の三角歯１８７によって形成されている。複数の三角歯１８７は、複数の三角歯１７７に噛合するようになっている。
【００５９】
調整及び固定手段１６８は、フランジ体１８３に形成された複数の円弧状の長孔１９１と、複数の長孔１９１に夫々挿入されていると共に、環状体１７５を貫通して結合体１６３に螺合した複数の固定ねじ１９２とを具備しており、セレーション体１６５に対するセレーション体１６７のＡ又はＢ方向における相対位置を決定した後、複数の固定ねじ１９２を締め付けることによって、セレーション１６４及び１６６を噛合させて、セレーション体１６５及びセレーション体１６７を固定するようになっている。
【００６０】
付勢手段７４は、環状本体１８１及び挟持体１１２間に配されていると共に、セレーション体１６７を弾性的にセレーション体１６５に押し付ける押圧部材としてコイルばね１９５を具備している。付勢手段７４によれば、セレーション体１６７を弾性的にセレーション体１６５に押圧しているため、固定ねじ１９２の多少の緩みにおいてもセレーション噛合を確保できる上に、Ａ及びＢ方向の位置調整作業を容易に行うことができる。
【００６１】
付勢手段１６０は、セレーション体１６７ａを弾性的にセレーション体１６５ａに押し付けるべく、環状本体１８１ａ及び側壁２０ａ間に配されているコイルばね１９３を具備している。付勢手段１６０によれば、付勢手段７４と同様に、コイルばね１９３がセレーション体１６７ａを弾性的にセレーション体１６５ａに押圧しているため、固定ねじ１９２ａの多少の緩みにおいてもセレーション噛合を確保できる上に、Ａ及びＢ方向の位置調整作業を容易に行うことができる。
【００６２】
規制手段７５は、結合体１６３ａに一体的に設けられていると共に回転軸７１と共に回転する回転体２０１と、回転体２０１に当接する当接体２０２とを具備しており、回転体２０１が、回転軸７１と共にＡ及びＢ方向に所定量回転した際に、回転体２０１に当接体２０２を当接させることによって、羽根部材４１及び４２の所定量以上のＡ及びＢ方向の回転を規制するようになっている。
【００６３】
回転体２０１は、特に図１１に示すように、回転体２０１が結合体１６３ａと共にＡ方向に所定量回転した際に、当接体２０２に当接する当接部２０５と、回転体２０１が結合体１６３ａと共にＢ方向に所定量回転した際に、当接体２０２に当接する当接部２０６とを有している。当接体２０２は、当接部２０５と当接部２０６との間に配されていると共に、歯車機構６１のハウジング６２の外面に一体的に設けられている。
【００６４】
なお、上記の例では、電動モータ５でもって羽根部材４１及び４２を回転させるようにしたが、軸２２１に手動ハンドルを嵌合して、手動ハンドルを回転させて、羽根部材４１及び４２を回転させてもよい。
【００６５】
また、羽根手段４は、羽根部材４１及び４２に加えて、羽根部材４１及び４２の下方に夫々配されていると共に、羽根部材４１及び４２と夫々同様に形成された追加の一対の羽根部材を具備していてもよく、斯かる追加の一対の羽根部材は、通路２及び３の下方に夫々設けられた一対の通路に配されており、回転によって当該一対の通路を夫々開閉するようになっていてもよい。斯かる追加の一対の羽根部材を具備している場合、伝達手段６は、図１２に示すように、回転位置調整機構１６１及び１６２と夫々同様に形成されており、追加の一対の羽根部材の軸３０３及び３０４に夫々連結していると共に回転軸７１（図４参照）に対する一対の羽根部材のＡ及びＢ方向における回転位置を夫々調整するようになっている回転位置調整機構３０５及び３０６と、軸４８に固着された歯車３０７、回転位置調整機構３０５に設けられた歯車３０９並びに歯車３０７及び３０９に噛合した歯車３１１を具備しており、且つ、追加の一対の羽根部材のうちの羽根部材４１の下方に配された一方の羽根部材が羽根部材４１と同期的にＡ及びＢ方向に回転するように、当該一方の羽根部材を回転軸７１に連結する連結手段３２１と、軸４８ａに固着された歯車３０８、回転位置調整機構３０６に設けられた歯車３１０並びに歯車３０８及び３１０に噛合した歯車３１２を具備しており、且つ、追加の一対の羽根部材のうちの羽根部材４２の下方に配された他方の羽根部材が羽根部材４２と同期的にＡ及びＢ方向に回転するように、当該他方の羽根部材を回転軸７１に連結する連結手段３２２とを具備していてもよい。
【００６６】
なお、連結手段３２１及び３２２の夫々において、歯車３０７、３１１、３０９及び３０８、３１２、３１０に代えて、チェーン及びスプロケットを用いて軸４８及び４８ａの回転を軸３０３及び３０４に伝達するようにしてもよい。
【００６７】
【発明の効果】
本発明によれば、回転軸の位置決めを容易に行うことができ、建物内外に連通している通路の良好な開閉動作を得ることができる換気装置を提供し得る。
【図面の簡単な説明】
【図１】本発明の実施の形態の例が適用される建物の一部説明図である。
【図２】本発明の実施の形態の例の正面説明図である。
【図３】図２に示す例の平面説明図である。
【図４】図２に示す例の一部断面平面説明図である。
【図５】図２に示す例の一部拡大正面説明図である。
【図６】図３に示す例のＶＩ−ＶＩ線断面説明図である。
【図７】図２に示す例の主に十字体の説明図である。
【図８】図２に示す例の主に十字体の説明図である。
【図９】図２に示す例の主にセレーション体の説明図である。
【図１０】図２に示す例の主にセレーション体の説明図である。
【図１１】図３に示す例のＸＩ−ＸＩ線断面説明図である。
【図１２】本発明の実施の形態の他の例の正面説明図である。
【符号の説明】
１  換気装置
２、３  通路
４  羽根手段
５  電動モータ
６  伝達手段
【図１】
0003922082.tif 000002
【図２】
0003922082.tif 000003
【図３】
0003922082.tif 000004
【図４】
0003922082.tif 000005
【図５】
0003922082.tif 000006
【図６】
0003922082.tif 000007
【図７】
0003922082.tif 000008
【図８】
0003922082.tif 000009
【図９】
0003922082.tif 000010
【図１０】
0003922082.tif 000011
【図１１】
0003922082.tif 000012
【図１２】
0003922082.tif 000013